(57)【要約】【課題】  スタンバイ状態において再生装置から起動指令及び再生指令を受信した場合にも、音声の音切れを防止できる増幅装置を提供する。【解決手段】  増幅装置１１が音声信号を増幅できない状態の時に、再生装置１２から起動指令及び再生指令を受信した場合、増幅装置１１が再生装置１２からの音声信号を増幅して出力できるようになるまでの間、再生装置１２に再生動作を一時停止させる指令を送信することで、再生装置１２の再生動作を待機させる。増幅装置１１が再生装置１２からの音声信号を増幅して出力できるようになった後、再生装置１２に一時停止を解除する指令を送信し、再生装置１２に再生動作を開始させる。【選択図】図１
2008165858.tif 000002
【特許請求の範囲】
【請求項１】
コンテンツを再生し音声信号を送信する再生装置との間で指令を送受信する指令送受信手段と、
該再生装置からの音声信号を受信する信号受信手段と、
該音声信号を増幅する増幅手段と、
該指令に基づいて所定の動作を実行する制御手段とを備える増幅装置であり、
該制御手段が、該増幅装置が該再生装置からの音声信号を増幅して出力できない状態のときに、該再生装置から起動指令及び再生指令を受信した場合、該再生装置に再生動作を一時停止させる指令を送信する手段と、
該増幅装置が該再生装置からの音声信号を増幅して出力できる状態になった後、該再生装置に再生動作の一時停止を解除する指令を送信する手段とを有する、増幅装置。
【請求項２】
コンテンツを再生する再生装置との間で指令を送受信する指令送受信手段と、
プログラムを起動済である実行可能状態、及び、プログラムを起動済でない実行不可能状態を有し、該指令に基づいて所定の動作を実行する第１制御手段と、
該指令に基づいて所定の動作を実行し、該第１制御手段、及び、該指令送受信手段との間で該指令を送受信する第２制御手段とを備え、
該第２制御手段が、該第１制御手段が実行不可能状態のときに、該再生装置から起動指令及び再生指令を受信した場合、該再生装置に再生動作を一時停止させる指令を送信し、該第１制御手段に起動指令及び再生指令を送信する手段と、
該第１制御手段が実行可能状態になった後、該再生装置に再生動作の一時停止を解除する指令を送信する手段とを有し、
該第１制御手段が、起動指令に応じて実行可能状態に移行する、再生制御装置。
【請求項３】
前記第２制御手段が、前記再生装置から受信した指令を保存するための記憶部と、
該第１制御手段が実行不可能状態のとき、該再生装置から受信した指令の中に起動指令が含まれているか否かを判断する手段と、
起動指令が含まれている場合に、該再生装置から受信した指令を該記憶部に保存する手段と、
起動指令を該第１制御手段に送信し、かつ、該第１制御手段が該起動指令に応じて実行可能状態になった後、該記憶部に保存されている再生指令を該第１制御手段に送信する手段をさらに有する、請求項２に記載の再生制御装置。
【請求項４】
前記第１制御手段が実行可能状態のとき、前記再生装置から指令を受信した場合、前記第２制御手段が、該再生装置に再生動作を一時停止する指令を送信することなく、該第１制御手段に該再生装置から受信した指令を送信する、請求項２または３に記載の再生制御装置。
【請求項５】
前記第２制御手段が、前記再生装置から受信した指令の中に再生指令が含まれているか否かを判断する手段と、
再生指令が含まれている場合に、該再生装置に再生動作を一時停止させる指令を送信し、かつ、再生指令が含まれていない場合に、該再生装置に再生動作を一時停止させる指令を送信しない手段とをさらに有する、請求項２〜４のいずれかに記載の再生制御装置。
【発明の詳細な説明】
【技術分野】
【０００１】
本発明は、複数の再生装置から送信された音声信号を増幅して出力する増幅装置、及び、再生装置と間で指令を送受信する再生制御装置に関する。
【背景技術】
【０００２】
増幅装置の複数の音声入力端子に複数の再生装置（ＣＤプレーヤ、ＭＤレコーダ等）が接続され、増幅装置と再生装置との間で指令を送受信することによって相互に制御するシステムが用いられている。このシステムによると、例えば、増幅装置の電源がオン状態になると、増幅装置は電源をオン状態にする指令を再生装置に送信する。再生装置は、その指令に基づいて電源をオン状態にする。一方、再生装置がコンテンツの再生を開始すると、再生装置は「電源をオン状態にし、かつ、セレクタを切り換える」指令を増幅装置に送信する。増幅装置は、その指令に基づいて電源をオン状態にし、指令を送信した再生装置が接続されている音声入力端子にセレクタを切り換える。以上のように、増幅装置または再生装置の一方を操作することにより、他方の装置も自動的に操作者の操作に対応する動作を実行する。従って、操作者は、増幅装置および再生装置の両方を操作する必要がなく、操作が非常に容易になる。
【０００３】
また、増幅装置と再生装置との間で送受信される指令は、増幅装置に接続される装置の種別によって異なるようにしている。例えば、増幅装置とＣＤプレーヤとの間の制御には、ＣＤプレーヤ用の指令が用いられる。増幅装置とＭＤレコーダとの間の制御には、ＭＤレコーダ用の指令が用いられる。そのため、ＭＤレコーダは、ＣＤプレーヤ用の指令を増幅装置から受信しても動作することはない。従って、増幅装置に接続されている再生装置が誤った動作を実行することを防止できる。
【０００４】
また、最近では、ＬＩＮＵＸやウインドウズ（登録商標）等のオペレーティングシステム（以下、ＯＳという）を有し、当該ＯＳを利用したアプリケーションプログラムによって各動作を実行する増幅装置が提供されている。このような増幅装置は、電源のスタンバイ状態において、ＯＳがマイコンのＲＡＭ内に読み出されたスタンバイ状態になっており、アプリケーションプログラムがＲＡＭ内に読み出されておらず起動していない状態になっている。従って、スタンバイ状態において再生装置から起動指令及び再生指令を受信した場合、増幅装置は、まず起動指令に応じてＲＡＭ内でスタンバイ状態になっているＯＳを起動させた後、アプリケーションプログラムをＲＡＭ内に読み出して起動させる。その後、増幅装置が再生指令に応じてセレクタを切り換えることにより、再生装置からの音声信号を増幅できるようになる。このように、再生装置からの起動指令に応じて、アプリケーションプログラムを起動させる必要があるが、起動にかなりの時間が必要である。その結果、再生装置がコンテンツの再生を開始しているのに、増幅装置においてセレクタを切り換える動作が完了しておらず、増幅装置からスピーカーを介して出力される音声に音切れが生じるという問題がある。
【０００５】
【特許文献１】特開２００６−２４４６０７号
【発明の開示】
【発明が解決しようとする課題】
【０００６】
本発明の目的は、スタンバイ状態において再生装置から起動指令及び再生指令を受信した場合にも、音声の音切れを防止できる増幅装置及び再生制御装置を提供することである。
【課題を解決するための手段】
【０００７】
本発明の好ましい実施形態による増幅装置は、コンテンツを再生し音声信号を送信する再生装置との間で指令を送受信する指令送受信手段と、該再生装置からの音声信号を受信する信号受信手段と、該音声信号を増幅する増幅手段と、該指令に基づいて所定の動作を実行する制御手段とを備える。該制御手段は、該増幅装置が該再生装置からの音声信号を増幅して出力できない状態のときに、該再生装置から起動指令及び再生指令を受信した場合、該再生装置に再生動作を一時停止させる指令を送信する手段と、該増幅装置が該再生装置からの音声信号を増幅して出力できる状態になった後、該再生装置に再生動作の一時停止を解除する指令を送信する手段とを有する。
【０００８】
増幅装置が音声信号を増幅できない状態の時に、再生装置から起動指令及び再生指令を受信した場合、増幅装置が再生装置からの音声信号を増幅して出力できるようになるまでの間、制御手段が、再生装置に再生動作を一時停止させる指令を送信することで、再生装置の再生動作を待機させる。増幅装置が再生装置からの音声信号を増幅して出力できるようになった後、制御手段は、再生装置に一時停止を解除する指令を送信し、再生装置に再生動作を開始させる。従って、再生装置から音声信号が送信されるときには、必ず増幅装置が再生装置からの音声信号を増幅して出力できるようになっており、再生音に音切れが生じることを防止できる。再生動作を一時停止させる指令とは、例えば、ＣＤプレーヤ等の場合は一時停止指令であり、カセットテーププレーヤの場合は停止指令である。また、増幅装置が音声信号を増幅できない状態とは、例えば、増幅装置全体を動作させるプログラムが起動済でない状態、増幅回路が動作していない状態、セレクタが切り換えられていない状態、又は、マイコンの低消費電力状態等の意味を含む。
【０００９】
本発明の好ましい実施形態による再生制御装置は、コンテンツを再生する再生装置との間で指令を送受信する指令送受信手段と、プログラムを起動済である実行可能状態、及び、プログラムを起動済でない実行不可能状態を有し、該指令に基づいて所定の動作を実行する第１制御手段と、該指令に基づいて所定の動作を実行し、該第１制御手段、及び、該指令送受信手段との間で該指令を送受信する第２制御手段とを備える。該第２制御手段は、該第１制御手段が実行不可能状態のときに、該再生装置から起動指令及び再生指令を受信した場合、該再生装置に再生動作を一時停止させる指令を送信し、該第１制御手段に起動指令及び再生指令を送信する手段と、該第１制御手段が実行可能状態になった後、該再生装置に再生動作の一時停止を解除する指令を送信する手段とを有する。該第１制御手段は、起動指令に応じて実行可能状態に移行する。
【００１０】
第１制御手段が実行不可能状態の時に、再生装置から起動指令及び再生指令を受信した場合、第１制御手段が実行可能状態になるまでの間、第２制御手段が、再生装置に再生動作を一時停止させる指令を送信することで、再生装置の再生動作を待機させる。第１制御手段が実行可能状態になった後、第２制御手段は、再生装置に一時停止を解除する指令を送信し、再生装置に再生動作を開始させる。従って、再生装置から音声信号が送信されるときには、必ず第１制御手段が実行可能状態になっており、再生音に音切れが生じることを防止できる。
【００１１】
好ましくは、前記第２制御手段は、前記再生装置から受信した指令を保存するための記憶部と、該第１制御手段が実行不可能状態のとき、該再生装置から受信した指令の中に起動指令が含まれているか否かを判断する手段と、起動指令が含まれている場合に、該再生装置から受信した指令を該記憶部に保存する手段と、  起動指令を該第１制御手段に送信し、かつ、該第１制御手段が該起動指令に応じて実行可能状態になった後、該記憶部に保存されている再生指令を該第１制御手段に送信する手段をさらに有する。
【００１２】
第１制御手段が実行不可能状態の時に、第２制御手段が起動指令及び再生指令を第１制御手段に送信した場合、第１制御手段は起動指令に応じて実行可能状態に移行する。しかし、実行可能状態になるまでの間に再生指令が第１制御手段に送信されることで、第１制御手段は、再生指令には応答することができない。そこで、第２制御手段は、再生指令を記憶部に保存しておき、第１制御手段が実行可能状態になった後で、記憶部に保存されている再生指令を第１制御手段に送信する。その結果、第１制御手段は、再生指令に応答して動作を実行することができる。
【００１３】
好ましくは、前記第１制御手段が実行可能状態のとき、前記再生装置から指令を受信した場合、前記第２制御手段が、該再生装置に再生動作を一時停止する指令を送信することなく、該第１制御手段に該再生装置から受信した指令を送信する。
【００１４】
第１制御手段が実行可能状態の時には、再生装置からの音声信号を再生制御装置で即座に処理可能であるので、再生装置にコンテンツの再生動作を一時停止させる指令を送信すると、再生装置を一時停止させる必要がないにも関わらず、一時停止させてしまう。そこで、第２制御手段は、第１制御手段が実行可能状態であることを判断した場合に、再生動作を一時停止する指令を再生装置に送信しないことにより、この問題を解決できる。
【００１５】
好ましくは、前記第２制御手段は、前記再生装置から受信した指令の中に再生指令が含まれているか否かを判断する手段と、再生指令が含まれている場合に、該再生装置に再生動作を一時停止させる指令を送信し、かつ、再生指令が含まれていない場合に、該再生装置に再生動作を一時停止させる指令を送信しない手段とをさらに有する。
【００１６】
再生装置からの指令の中に再生指令が含まれていない場合、再生装置はコンテンツの再生を開始しない。従って、指令の中に再生指令が含まれているか否かを判断して、再生指令が含まれているときにのみ再生動作を一時停止する指令を再生装置に送信することで、無駄な指令の送信を防止できる。
【００１７】
本発明の別の局面においては、上記増幅装置又は再生制御装置の動作プログラムが提供され得る。
【発明の効果】
【００１８】
本発明によると、増幅装置が音声信号を増幅できないときに再生装置から起動指令及び再生指令を受信した場合にも、出力する音声の音切れを防止できる。
【発明を実施するための最良の形態】
【００１９】
以下、本発明の好ましい実施形態について、図面を参照して具体的に説明するが、本発明はこれらの実施形態には限定されない。図１は、本発明の好ましい実施形態によるコンテンツ再生システム１０を示す概略図である。コンテンツ再生システム１０は、ＨＤＤ（ハードディスクドライブ）内蔵の増幅装置（本発明の再生制御装置としての機能を有する）１１、及び、増幅装置１１と相互に制御可能な一または複数の再生装置１２（例えばＣＤプレーヤ１２Ａ、ＭＤレコーダ１２Ｂ等）を備える。
【００２０】
再生装置１２はコンテンツを再生して増幅装置１１に送信する。コンテンツは、音楽（音声）及び映像（画像）等のデータの総称であり、本例の場合、音楽データである。増幅装置１１は、自身のＨＤＤ２２に蓄積されているコンテンツに基づく音楽信号、及び、複数の再生装置１２から送信される音楽信号の中から１つの音楽信号を選択し、増幅し、図示しないスピーカーを介して音声を出力する。また、各再生装置１２は、通信ケーブルを介して増幅装置１１に接続され、通信ケーブルを介して増幅装置１１との間で指令を送受信する。ここで、指令とは、相手側の装置を制御するための命令、および自身の動作状態通知の総称であり、これを相手側装置が受信した際に相手側装置が所定の動作を実行するものである。
【００２１】
増幅装置１１は、複数の再生装置１２が接続されるので、再生装置毎に異なる種別の指令を送受信する。ここで、種別とは接続される再生装置１２の種類を表し、例えばＣＤプレーヤ、ＭＤレコーダ、テープレコーダおよびＤＶＤプレーヤ等である。再生装置１２は、自装置の種別に対応する指令を増幅装置１１から受信した場合に、受信した指令に基づいた動作を実行する。逆に、再生装置１２は、自装置の種別に対応する指令を増幅装置１１に送信し、増幅装置１１は受信した指令の種別を判別することで、どの再生装置１２から指令を受信したかを認識できる。また、増幅装置１１は、種別によって共通であるシステム全体を動作させるための指令を送信する。この指令を受信した全ての再生装置１２は、指令に基づいた動作を実行する。
【００２２】
図２は、増幅装置１１の構成を示す概略図である。増幅装置１１は、第１マイコン２１、ＨＤＤ２２、第２マイコン２３、通信回路２４、指令入出力端子２５、セレクタ回路２６、増幅回路２７、音声出力端子２８、複数の音声入力端子２９、リモコン信号受信回路３０、メイン電源回路３１及びスタンバイ電源回路３２を備える。増幅装置１１は、電源の動作状態として、メイン電源３１及びスタンバイ電源３２が共にオン状態である電源オン状態と、メイン電源３１がオフ状態でスタンバイ電源３２がオン状態であるスタンバイ状態と、メイン電源３１もスタンバイ電源３２もオフ状態である電源オフ状態とを有する。
【００２３】
ＨＤＤ２２には、例えばＬＩＮＵＸやウインドウズ（登録商標）等のオペレーティングシステム（以下、ＯＳという）２２Ａ、及び、音楽再生アプリケーションプログラム（以下、再生アプリという）２２Ｂを格納する。再生アプリ２２Ｂは、ＨＤＤ２２に蓄積されたコンテンツに基づく音楽信号、又は、再生装置１２から受信した音楽信号を、増幅回路２７で増幅して、スピーカーへ出力するためのプログラムである。つまり、再生アプリ２２Ｂは、セレクタ回路２６、増幅回路２７、デコーダ、ＤＡＣ等の音声処理部（図示せず）、及び、ＬＣＤ等の表示部（図示せず）を制御するプログラムである。また、ＨＤＤ２２は、複数のコンテンツを蓄積する。ＨＤＤ２２に蓄積されたコンテンツは、第１マイコン２１の指示によって読み出されて、音声処理部でデコード及びＤ／Ａ変換処理が実行され、セレクタ回路２６に供給される。
【００２４】
第１マイコン２１は、ＨＤＤ２２を制御するマイコンである。すなわち、第１マイコン２１は、ＨＤＤ２２に格納されているＯＳ２２Ａを自身のＲＡＭ２１Ａに読み出して実行させ、かつ、ＲＡＭ２１Ａに再生アプリ２２Ｂを読み出して実行させることにより、音楽データの再生動作を実行する。
【００２５】
第１マイコン２１は、実行可能状態と実行不可能状態とを含む。実行可能状態は、第１マイコン２１が制御可能な状態であり、ＲＡＭ２１Ａ内で再生アプリ２２Ｂが起動済の状態である。実行不可能状態は、第１マイコン２１が制御不可能な状態であり、ＲＡＭ２１Ａ内で再生アプリ２２Ｂが起動済でない状態である。
【００２６】
詳細には、増幅装置１１がスタンバイ状態のとき、第１マイコン２１にはスタンバイ電源３２が供給されており、ＯＳ２２Ａは、第１マイコン２１のＲＡＭ２１Ａに読み出された状態でスタンバイ状態になっている。ＯＳ２２Ａがスタンバイ状態になっているのは、増幅装置１１が電源オン状態になったときに、瞬時にＯＳ２２Ａを起動させるためである。一方、再生アプリ２２ＢはＲＡＭ２１Ａには読み出された状態になっておらず、プログラムが終了状態になっている。この状態が実行不可能状態である。
【００２７】
一方、第２マイコン２３から第１マイコン２１に起動指令が送信されたとき、ＲＡＭ２１Ａ内でスタンバイ状態になっているＯＳ２２Ａが起動された後、再生アプリ２２ＢがＨＤＤ２２からＲＡＭ２１Ａに読み出されて起動される。この状態が実行可能状態である。
【００２８】
第２マイコン２３は、増幅装置１１におけるＨＤＤ２２以外の部分を制御するマイコンである。例えば、第２マイコン２３は、第１マイコン２１からの指示に応じてセレクタ回路２６や増幅回路２７を制御する。また、第２マイコン２３は、再生装置１２との間で指令を送受信し、又は、システムリモコン３４から指令を受信する。すなわち、第２マイコン２３は、再生装置１２及びシステムリモコン３４から受信した指令に基づいて、所定の動作を実行し（例えば、メイン電源３１をオン状態にする）、かつ、当該指令を第１マイコン２１に送信する。また、第２マイコン２３は、第１マイコン２１から受信した指令を再生装置１２に転送すると共に、増幅装置１１の各部を制御する。また、第２マイコン２３は、再生アプリ２２ＢがＲＡＭ２１Ａ内で起動済であるか否かを管理している。
【００２９】
第２マイコン２３は、バッファ２３Ａを有している。第２マイコン２３Ａは、再生装置１２から起動指令を含む一連の指令を受信したとき、再生アプリ２２Ｂが起動済でない場合に、バッファ２３Ａにこれら一連の指令を一時的に保存する。例えば、起動指令と再生指令とを受信したとき、再生アプリ２２Ｂの起動後に再生指令を第１マイコン２１に送信するためである。詳細には、バッファ２３Ａには、図３に示すように、起動指令と起動指令の次に受信した指令（例えば、再生指令）とを格納する領域を含む。バッファ２３Ａに保存されている指令は、例えば、増幅装置１１がスタンバイ状態になる時にクリアされる。
【００３０】
指令入出力端子２５は、再生装置１２との間で指令が入出力される端子である。通信回路２４は、指令入出力端子２５と第２マイコン２３との間で指令を伝達する回路である。音声入力端子２９は、複数の再生装置１２の音声出力端子が接続され、再生装置１２から音声信号が入力される。セレクタ回路２６は、音声入力端子２９を介して複数の再生装置１２から入力される音声信号と、ＨＤＤ２２から読み出されたコンテンツに基づく音声信号との中から１つの音声信号を選択して、増幅回路２７に与える。選択された音声信号は、増幅回路２７で増幅され、音声出力端子２８を介してスピーカーに出力される。リモコン信号受信回路３０は、システムリモコン３４から受信した赤外線信号の指令を電気信号の指令に変換し、第２マイコン２３に与える。
【００３１】
メイン電源回路３１は、電源オン状態においてオン状態とされ、スタンバイ状態においてオフ状態とされる電源であり、増幅装置１１の各部に供給される電源回路である。スタンバイ電源回路３２は、電源オン状態及びスタンバイ状態の両方においてオン状態とされる電源であり、第１マイコン２１、第２マイコン２３及びその周辺回路のみに供給される。
【００３２】
再生装置１２は、図示しないが、メイン電源、及び、マイコンのみに電圧を供給するスタンバイ電源を有しており、電源の動作状態として、電源オン状態と、スタンバイ状態と、電源オフ状態とを有する。電源オン状態は、メイン電源及びスタンバイ電源が共にオンの状態であり、再生装置１２が音楽信号を再生して、増幅装置１１に送信可能な状態である。スタンバイ状態は、スタンバイ電源のみがオン状態であり、マイコンのみに電源電圧が供給され、ユーザからのリモコン操作を受け付け可能な状態である。電源オフ状態は、メイン電源及びスタンバイ電源が共にオフの状態である。
【００３３】
再生装置１２は、自身の電源の動作状態及びユーザからの指示に応じて、以下のような指令を増幅装置１１に送信する。すなわち、再生装置１２は、自身が電源オン状態の時にユーザ操作によって再生指示が入力された場合、再生指令を増幅装置１１に送信する。再生指令とは、再生装置１２が再生開始することを増幅装置１１に通知し、増幅装置１１を再生装置１２からの音声信号を増幅してスピーカーに出力可能な状態にさせる（例えば、セレクタを切り換える等）指令である。
【００３４】
再生装置１２は、自身がスタンバイ状態の時にユーザ操作によって再生指示が入力された場合、起動指令及び再生指令をこの順番で増幅装置１１に送信する。起動指令は、再生装置１２が電源オン状態になったことを増幅装置１１に通知し、増幅装置１１をスタンバイ状態から電源オン状態に移行させる指令である。再生装置１２がスタンバイ状態である場合、通常は増幅装置１１もスタンバイ状態であるので、起動指令によって増幅装置１１を電源オン状態にする必要があるためである。
【００３５】
以上の構成を有する増幅装置１１についてその動作を説明する。図４は、増幅装置１１の第２マイコン２３の処理を示すフローチャートである。図５〜図８は、第１マイコン２１、第２マイコン２３及び再生装置１２（本例ではＣＤプレーヤ１２Ａ）の各動作を説明するシーケンス図である。
【００３６】
［増幅装置１１及び再生装置１２がスタンバイ状態で、再生指示が入力された場合］
本例では、増幅装置１１及びＣＤプレーヤ１２Ａがスタンバイ状態のときに、ユーザがＣＤプレーヤ１２Ａに再生の指示を入力した場合を図４及び図５を参照して説明する。まず、ＣＤプレーヤ１２Ａは、ユーザ操作によって再生指示が入力されると、スタンバイ状態から電源オン状態になった後、ＣＤ再生の準備を行う。続いて、ＣＤプレーヤ１２Ａは、増幅装置１１の第２マイコン２３に起動指令及び再生指令をこの順に送信する（Ｓ１０１）。この起動指令及び再生指令は種別毎（ＣＤプレーヤ専用）の指令であるので、これを受信した第１マイコン２１や第２マイコン２３はＣＤプレーヤからの指令であることを認識できる。第２マイコン２３は、再生装置１２から指令を受信したか否かを判断している（Ｓ１１）。ＣＤプレーヤ１２Ａから起動指令及び再生指令を受信すると（Ｓ１１：ＹＥＳ）、第２マイコン２３は、再生アプリ２２Ｂが起動済であるか否かを判断する（Ｓ１２）。
【００３７】
増幅装置１１はスタンバイ状態であり、再生アプリ２２Ｂが起動されていないので（Ｓ１２：ＮＯ）、第２マイコン２３は、受信した一連の指令の中に起動指令が含まれているか否かを判断する（Ｓ１３）。ここでは、起動指令が含まれているので（Ｓ１３：ＹＥＳ）、第２マイコン２３は、メイン電源３１を制御してオン状態にさせる（Ｓ１４）。続いて、第２マイコン２３は、起動指令及びその次に受信した指令である再生指令をバッファ２３Ａに保存する（Ｓ１５、Ｓ１３１）。
【００３８】
第２マイコン２３は、起動指令の次の指令が再生指令であるか否かを判断する（Ｓ１６）。ここでは、起動指令の次の指令が再生指令であるので（Ｓ１６：ＹＥＳ）、ＣＤプレーヤ１２Ａに一時停止指令を送信する（Ｓ１７、Ｓ１３２）。なお、再生装置１２がカセットテーププレーヤである場合には、一時停止指令は存在しないので代わりに停止指令を送信すればよい。ＣＤプレーヤ１２Ａは、第２マイコン２３から一時停止指令を受信して、ＣＤの再生準備状態から一時停止状態になる（Ｓ１０２）。
【００３９】
続いて、第２マイコン２３は、第１マイコン２１に起動指令を送信する（Ｓ１８、Ｓ１３３）。第１マイコン２１は、第２マイコン２３から起動指令を受信すると、ＲＡＭ２１Ａに読み出されスタンバイ状態になっているＯＡ２２Ａを起動させ、その後、ＨＤＤ２２から再生アプリ２２ＢをＲＡＭ２１Ａに読み出して起動させる（Ｓ１５１）。
【００４０】
第１マイコン２１は、再生アプリ２２Ｂの起動後に、第２マイコン２３に対して指令問合せを送信する（Ｓ１５２）。指令問合せは、ＣＤプレーヤ１２Ａから起動指令に続いて再生指令が送信されたか否かを確認するものである。
【００４１】
第２マイコン２３は、第１マイコン２１から指令問合せを受信したか否かを判断している（Ｓ１９）。ここでは、指令問い合わせを受信したので（Ｓ１９：ＹＥＳ）、第２マイコン２３は、バッファ２３Ａに再生指令が保存されているか否かを判断する（Ｓ２０）。ここでは、バッファ２３Ａに再生指令が保存されているので（Ｓ２０：ＹＥＳ）、第２マイコン２３はバッファ２３Ａから再生指令を読み出して、第１マイコン２１に送信する（Ｓ２１、Ｓ１３４）。第１マイコン２１は、再生指令を受信すると、再生準備を行う（Ｓ１５３）。
【００４２】
詳細には、第１マイコン２１は、増幅回路２７をミュート状態にする制御信号を、第２マイコン２３を経由して増幅回路２７に与え、増幅回路２７をミュート状態にする。次に、第１マイコン２１は、セレクタ回路２６にＣＤプレーヤ１２Ａが接続された音声入力端子を選択する制御信号を、第２マイコン２３を介して、セレクタ回路２６に与える。セレクタ回路２６は、ＣＤプレーヤ１２Ａが接続された音声入力端子を選択する。次に、第１マイコン２１は、増幅回路２７のミュート状態を解除する制御信号を、第２マイコン２３を経由して増幅回路２７に与え、増幅回路２７のミュート状態を解除する。最後に、第１マイコン２１は、ＣＤに関するメニュー画面を図示しない表示部に表示させるように第２マイコン２３を介して制御する。以上の再生準備が完了したら、第１マイコン２１は第２マイコン２２に再生指令を返信する（Ｓ１５３）。この再生指令は、第１マイコン２１が再生準備を完了したことをＣＤプレーヤ１２Ａに通知するものである。
【００４３】
第２マイコン２３は、第１マイコン２１から再生指令を受信したか否かを判断している（Ｓ２２）。再生指令を受信すると（Ｓ２２：ＹＥＳ）、第２マイコン２３は再生指令をＣＤプレーヤ１２Ａに転送する（Ｓ２３、Ｓ１３５）。ＣＤプレーヤ１２Ａは、第２マイコン２３から再生指令を受信すると、一時停止状態を解除してＣＤの再生状態に移行する。
【００４４】
以上のように、増幅装置１１及びＣＤプレーヤ１２Ａが共にスタンバイ状態のときに、ユーザによって再生指示がＣＤプレーヤに入力されると、増幅装置１１の第１マイコン２１が再生アプリ２２Ｂを起動し、再生準備ができた後に、ＣＤプレーヤ１２ＡがＣＤの再生を開始する。従って、ＣＤプレーヤ１２Ａによって再生された音声信号が増幅装置１１で増幅処理されずに、再生音に音切れが生じるという問題を解決できる。
【００４５】
なお、再生アプリ２２Ｂはプログラム終了時にそのときの動作状態（例えば、ＭＤを再生していた場合に、表示部に表示させるＭＤメニュー画面）をＲＡＭ２１Ａに保存しておいて、次に起動するときにその動作状態をＲＡＭ２１Ａから読み出して復元するようにしている。従って、再生アプリ２２Ｂの起動時および起動後であって、Ｓ１５３で再生準備が完了するまでの間、前回ＭＤを再生していた場合にＭＤメニュー画面が表示部に表示されることになる。これは、ユーザがＣＤプレーヤの再生指示を入力したのに反して、増幅装置１１の表示部に一時的にＭＤメニュー画面が表示されるので、不具合が発生したとユーザが誤解する可能性がある。そこで、本例では、再生装置１２Ａの種別に対応付けて「・・・起動中です」という画面を予め記憶しておき、第１マイコン２１が起動指令の種別を判別して、ＣＤの起動指令であれば「ＣＤ起動中です」の画面を読み出して、表示部に表示させるようにすることで、この問題を解決することができる。
【００４６】
［増幅装置１１及び再生装置１２がスタンバイ状態の時、電源オン指示が入力された場合］
本例では、増幅装置１１及びＣＤプレーヤ１２Ａがスタンバイ状態のときに、ユーザが電源オンの指示をＣＤプレーヤ１２Ａに入力した場合を、図４及び図６を参照して説明する。まず、ＣＤプレーヤ１２Ａは、ユーザ操作によって電源オン指示が入力されると、スタンバイ状態から電源オン状態になった後、増幅装置１１の第２マイコン２３に起動指令を送信する（Ｓ２０１）。第２マイコン２３は、ＣＤプレーヤ１２Ａから起動指令を受信すると（Ｓ１１：ＹＥＳ、Ｓ２３１）、再生アプリ２２Ｂが起動済でないと判断する（Ｓ１２：ＮＯ）。次に、第２マイコン２３は、起動指令が指令の中に含まれているので（Ｓ１３：ＹＥＳ）、メイン電源３１をオン状態にし（Ｓ１４）、起動指令をバッファ２３Ａに保存する（Ｓ１５）。起動指令の次に再生指令がないので（Ｓ１６：ＮＯ）、起動指令を第１マイコン２１に送信する（Ｓ１８、Ｓ２３２）。第１マイコン２１は、起動指令に応じて、ＯＳ２２Ａ及び再生アプリ２２Ｂを起動させ（Ｓ２５１）、指令問合せを第２マイコン２３に送信する（Ｓ２５２）。第２マイコン２３は、指令問合せを受信すると（Ｓ１９：ＹＥＳ）、バッファ２３Ａに再生指令が保存されていないと判断し（Ｓ２０：ＮＯ）、応答せずに処理を終了する（Ｓ２３３）
【００４７】
［増幅装置１１が電源オン状態及びＣＤプレーヤ１２Ａがスタンバイ状態の時、再生指示が入力された場合］
本例では、増幅装置１１が電源オン状態及びＣＤプレーヤ１２Ａがスタンバイ状態の時、ユーザ操作によってＣＤプレーヤ１２Ａに再生指示が入力された場合を、図４及び図７を参照して説明する。まず、ＣＤプレーヤ１２Ａは、ユーザ操作によって電源オン指示が入力されると、スタンバイ状態から電源オン状態になった後、増幅装置１１の第２マイコン２３に起動指令及び再生指令を送信する（Ｓ３０１）。第２マイコン２３は、ＣＤプレーヤ１２Ａから指令を受信すると（Ｓ１１：ＹＥＳ、Ｓ３３１）、再生アプリ２２Ｂが起動済であると判断する（Ｓ１２：ＹＥＳ）。その結果、第２マイコン２３は、バッファ２３Ａに指令を保存することもＣＤプレーヤ１２Ａに一時停止指令を送信することもなく、起動指令及び再生指令を第１マイコン２１に送信する（Ｓ２４、Ｓ３３２）。再生アプリ２２Ｂが起動済であり、音切れが生じることはないので、ＣＤプレーヤ１２Ａを一時停止させる必要がないからである。第１マイコン２１は、第２マイコン２３から起動指令及び再生指令を受信すると（Ｓ３５１）、既に再生アプリが起動済であるので、起動指令を破棄して、再生指令に応じて上記のように再生準備を即座に実行する（Ｓ３５２）。
【００４８】
［増幅装置１１がスタンバイ状態及びＣＤプレーヤ１２Ａが電源オン状態の時、再生指示が入力された場合］
本例では、増幅装置１１がスタンバイ状態及びＣＤプレーヤ１２Ａが電源オン状態の時、ユーザ操作によってＣＤプレーヤ１２Ａに再生指示が入力された場合を、図４及び図８を参照して説明する。ＣＤプレーヤ１２Ａは、再生指令を第２マイコン２３に送信する（Ｓ４０１）。第２マイコン２３は、ＣＤプレーヤ１２Ａから再生指令を受信すると（Ｓ１１：ＹＥＳ、Ｓ４３１）、再生アプリ２２Ｂが起動済でないと判断するが（Ｓ１２：ＮＯ）、指令の中に起動指令がないので（Ｓ１３：ＮＯ）、指令を破棄して（Ｓ２５、Ｓ４３２）、処理を終了する。
【００４９】
［増幅装置１１が電源オン状態及びＣＤプレーヤ１２Ａがスタンバイ状態の時、再生指示が入力された場合（２）］
図７の処理において、ＣＤプレーヤ１２Ａから起動指令及び再生指令を受信したとき、再生アプリ２２Ｂが起動済であっても、Ｓ３５２の再生準備（セレクタの切換等）に時間がかかり、ＣＤプレーヤからの音声信号を増幅処理できずに音切れが生じる場合がある。その場合、再生アプリ２２Ｂが起動済の場合でも、第１マイコン２１で再生準備が完了するまでの間、ＣＤプレーヤ１２Ａを一時停止状態にする。
【００５０】
図９を参照して詳細に説明するが、図７と同一処理については同一符号を付し、説明を援用する。第１マイコン２１は、第２マイコン２３から起動指令及び再生指令を受信すると（Ｓ３５１）、一時停止指令を第２マイコン２３に送信する（Ｓ５５１）。第２マイコン２３は、第１マイコン２１からの一時停止指令をＣＤプレーヤ１２Ａに転送し（Ｓ５３１）、ＣＤプレーヤ１２Ａは一時停止状態になる（Ｓ５０１）。第１マイコン２１は、再生準備が完了すると（Ｓ３５２）、再生指令を第２マイコン２３に返信する（Ｓ５５２）。第２マイコン２３は、再生指令をＣＤプレーヤ１２Ａに転送し（Ｓ５３２）、ＣＤプレーヤ１２Ａは再生動作を開始する（Ｓ５０２）。
【００５１】
以上のように、本実施形態によると、増幅装置１１の第２マイコン２３は、再生装置１２から起動指令及び再生指令を受信し、かつ、再生アプリ２２Ｂが起動済でない場合、再生装置１２に一時停止指令を送信し、コンテンツの再生を一時停止させる。そして、第２マイコン２３は、起動指令を第１マイコン２１に送信し、再生アプリ２２Ｂを起動させ、再生アプリ２２Ｂの再生準備が終わった後、再生装置１２の一時停止を解除させる。その結果、再生アプリ２２Ｂが起動済でない場合に再生装置１２Ｂが再生開始した場合にも、音切れが生じることを防止できる。
【００５２】
以上、本発明の好ましい実施形態を説明したが、本発明はこれらの実施形態には限定されない。例えば、第１マイコン２１を備えておらず、第２マイコン２３のみを備える増幅装置において、第２マイコン２３が、増幅回路２７が音声信号を増幅可能になるまでの間、再生装置１２の再生動作を一時停止させるようにしてもよい。同様に、ＨＤＤやＣＤドライブ等がスタンバイ状態から動作可能な状態になるまでの間、再生装置１２の再生動作を一時停止させるようにしてもよい。また、起動指令及び再生指令は共通の１つの指令であってもよい。本実施形態の音楽信号は、デジタル及びアナログの両方の意味を包括する。図７、図９において、ＣＤプレーヤが電源オン状態の時の処理は、ＣＤプレーヤから起動指令が送信されないだけで、その他は同じである。本発明は、上記の増幅装置１１の動作プログラム又はそれを記録した記録媒体という形態で提供されてもよい。
【産業上の利用可能性】
【００５３】
本発明はコンテンツ再生装置との間で指令を送受信する増幅装置に好適に適用され得る。
【図面の簡単な説明】
【００５４】
【図１】本発明の好ましい実施形態によるコンテンツ再生システムを示すブロック図である。
【図２】増幅装置１１の構成を示す概略ブロック図である。
【図３】第２マイコン２３内のバッファ２３Ａの構造を示す図である。
【図４】第２マイコン２３の処理を示すフローチャートである。
【図５】第１マイコン２１、第２マイコン２３及び再生装置１２の動作を説明するための図である。
【図６】第１マイコン２１、第２マイコン２３及び再生装置１２の動作を説明するための図である。
【図７】第１マイコン２１、第２マイコン２３及び再生装置１２の動作を説明するための図である。
【図８】第１マイコン２１、第２マイコン２３及び再生装置１２の動作を説明するための図である。
【図９】第１マイコン２１、第２マイコン２３及び再生装置１２の動作を説明するための図である。
【符号の説明】
【００５５】
１１        増幅装置（再生制御装置）
１２        再生装置
２１        第１マイコン
２２        ＨＤＤ
２２Ａ      ＯＳ
２２Ｂ      再生アプリ
２３        第２マイコン
２３Ａ      バッファ
２５        指令入出力端子
２７        増幅回路
２９        音声入力端子
【図１】
2008165858.tif 000003
【図２】
2008165858.tif 000004
【図３】
2008165858.tif 000005
【図４】
2008165858.tif 000006
【図５】
2008165858.tif 000007
【図６】
2008165858.tif 000008
【図７】
2008165858.tif 000009
【図８】
2008165858.tif 000010
【図９】
2008165858.tif 000011